(57)【要約】      （修正有）【課題】小型の音楽再生機にあらかじめ附属されているイヤホンや、市販のイヤホンを改変することなく、装飾具を取り付け可能でかつ、取り外し自在な装飾具における取り付け具、および前記取り付け具を有する装飾具を提供する。【解決手段】装飾部材を取り付けるための固定部１４と挟持部材１１とからなる取り付け具であって、前記挟持部材１１は、装飾部材を取り付ける対象物を左右からはさみこむ右片部材１２と左片部材１３からなり、前記右片部材１２と左片部材１３は弾性材で構成する。【選択図】図１
0003181508.tif 000002
【実用新案登録請求の範囲】
【請求項１】
装飾部材を取り付けるための固定部を有し、かつ挟持部材を有し、前記挟持部材は右片部材と左片部材からなり、右片部材と左片部材は、弾性材で構成することを特徴とする取り付け具。
【請求項２】
挟持部材における右片部材あるいは左片部材のいずれか一方あるいは双方に、誘導部を設けることを特徴とする請求項１記載の取り付け具。
【請求項３】
請求項１または請求項２記載の取り付け具における固定部に、装飾部材を固定することを特徴とする装飾具。
【考案の詳細な説明】
【技術分野】
【０００１】
本考案は、装飾具及び取り付け具に関するものである。
【背景技術】
【０００２】
我が国のアニメーション作品が世界中に拡がり我が国の文化として、世界各国で、そのアニメーション作品およびその登場人物のキャラクターが受けいれられている。特にフィギュアと呼ばれるアニメーション作品の登場人物を模した人形や、そのアニメーション作品の登場人物のキャラクターになりきるイベントも活況を呈している。このような状況下において、従来アニメーション作品を好む者はアニメーション作品の主人公をモチーフとしたキャラクター商品を、例えば、キーホルダーにして取り付けたり、あるいは、携帯電話のストラップとして取り付けたりしている。また、そのアニメーション作品における主題歌も人気を博し、ヒットチャートに登場することも珍しいことではない。
【０００３】
一方で近年、音楽等を再生する小型の再生機の普及により、音楽等を気軽に楽しむことができる。このような携帯型の再生機は、従来はカセットテープを使用していたがそれがコンパクトディスク（ＣＤ）等に移行し、さらに現在では、ハードディスクドライブやフラッシュメモリ等の記憶装置を具備した音楽等を再生する小型の再生機が普及している。また、携帯電話においても音楽再生機能が備わり、上記記憶装置を具備しているため、かなりの曲を記憶させることができる。この上記記憶装置は従来のカセットテープ、ＣＤ等に比べ飛躍的な数の曲を記憶することができる。
【０００４】
このような小型の音楽再生機は、携帯を前提とするものであるため、いずれもスピーカーを装備せず、その機能をイヤホンに置き換えることによって小型化を達成している。従ってイヤホンは小型の音楽再生機にとって必須の構成になっている。また、携帯電話についても同様である。
【０００５】
これらに付随しているイヤホンは、インナーイヤー型、カナル型、耳掛け型・クリップ型等が存在するが、特にインナーイヤー型が、小型再生機に付属される場合が多い。またこのイヤホンは、再生機の小型化を達成するために、一般的にステレオミニジャックと呼ばれる３．５ｍｍイヤホンジャックを採用している。
【０００６】
これらの小型の再生機に付属されているイヤホンのうちインナーイヤー型、カナル型は、耳の穴に挿入して使用するものであり、外部に露出している部分は、左右のイヤホン本体の１部分とそれらに接続されているコードである。イヤホンは機能性に特化したものであり、耳掛け型・クリップ型ともかく、インナーイヤー型、カナル型についてはそれを装飾するということは通常行われていない。
【０００７】
アニメーション作品を好む者は、小型の音楽再生機によって、音楽を楽しむ者も多く、特にアニメーション作品における主題歌を、上記携帯電話を含む小型の音楽再生機に記憶させて音楽を楽しむ場合がある。このようなアニメーション作品を好む者はアニメーション作品に関連したものを身につけたいという要請がありそれが、イヤホンにアニメーション作品の登場人物をモチーフとしたキャラクター商品を取り付けるという要請につながるのである。これを解決するものとして、特開２００１-０９５０７８号公報においては、スピーカー部を内蔵したイヤホン本体と、このイヤホン本体から引き出されたコードと、このコードの先端に設けられたプラグとからなるイヤホンであって、前記イヤホン本体若しくはコードに装飾品が付設されていることを特徴とするイヤホンが提案されている。これは、コードに装飾品が付設されているとは云うものの、それはイヤホンの販売時において装飾具が取り付けられている状態であり、任意でその装飾具を取り付けあるいは取り外しすることができず、仮にとり外すことができたとしてもそれは困難であり、実用に即していない。また、イヤホンの構成を変更しなければ、装飾品を付設することができず、小型の音楽再生機にあらかじめ附属されているイヤホンや市販されている様々なイヤホンを改変することなくそのままの状態で装飾品を取り付けることができない。
【０００８】
【特許文献１】特開２００１-０９５０７８号公報
【考案の開示】
【考案が解決しようとする課題】
【０００９】
本考案の課題は、小型の音楽再生機にあらかじめ附属されているイヤホンや、市販のイヤホンを改変することなく、装飾具を取り付け可能でかつ、取り外し自在な装飾具における取り付け具を提供することを目的とする。また、前記取り付け具を有する装飾具を提供することを目的とする。
【課題を解決するための手段】
【００１０】
前記の課題を解決するため、本考案は、装飾部材を取り付けるための固定部を有し、かつ挟持部材を有し、前記挟持部材は右片部材と左片部材からなり、右片部材と左片部材は、弾性材で構成するという手段を講じたものである。
【００１１】
装飾部材を取り付け部材の固定部において固定することができ、かつ、挟持部材は弾性材で構成されているために柔軟性があるので、変形可能であり取り付け相手の形状を制限する恐れは少ない。従って、イヤホンのコード部分にも、そのイヤホン本体の根元の若干太い部分にも取り付けることができる。
【００１２】
前記の課題を解決するため、本考案は、挟持部材における右片部材あるいは左片部材のいずれか一方あるいは双方に、誘導部を設けるという手段を講じたものである。
【００１３】
挟持部材における右片部材と左片部材のいずれか一方あるいは双方に、誘導部を設けることにより、イヤホンのコード部分をその誘導部にあてがうことで、スムースに右片部材あるいは左片部材あるいはその相方を変形させて、挟持部材の内部にコード部分を案内して配置させることができるので、取り付けが容易である。
【００１４】
前記の課題を解決するため、本考案は、前記取り付け具における固定部に、装飾部材を固定という手段を講じたものである。
【００１５】
装飾部材を取り付け具の固定部に取り付けることにより、装飾具を構成することができ、当該装飾具を簡単にイヤホンに取り付けることができる。また取り外しも簡単にできるが、不意に力が加わっても簡単には外れない構成となっている。
【考案の効果】
【００１６】
本考案は以上のように構成されかつ作用するものであり、小型の音楽再生機にあらかじめ附属されているイヤホンや、市販のイヤホンを改変することなく取り付け可能でかつ、取り外し自在にすることができる装飾品取り付け具を提供することができる。また、前記取り付け具を有する装飾具を提供することができる。
【考案を実施するための最良の形態】
【００１７】
以下、図示の実施形態を参照して本考案をより詳細に説明する。図１は、取り付け具の斜視図である。図２は装飾具の斜視図である。図３は、図２のＡ−Ａ線断面図である。図４ａは、イヤホンに装飾具を取り付けた斜視図である。図４ｂは、鉛筆に装飾具を取り付けた斜視図である。図４ｃは、ワイングラスに装飾具を取り付けた斜視図である。
【００１８】
取り付け具１０は、挟持部材１１と固定部１４を具備している。取り付け具１０は柔軟性を有し、ゴム、合成樹脂等の弾性材で構成されている。従って、挟持部材１１も弾性材で構成されているが、挟持部材１１のみを弾性材で構成しても好ましい。また、上記のとおり取り付け具１０は、挟持部材１１を有し、前記挟持部材１１は、右片部材１２と、左片部材１３からなる。また、挟持部材１１と固定部１４からなる取り付け具１０の断面はほぼＣ字状を呈し、後述するように一度空所１５に物が配置されると、その物が当該空所１５から脱出しにくくなる構成である。従って取り付け具１０に不意に力がかかっても取り付け具１０が外れにくい構成である。尚、取り付け具１０は、ゴム、合成樹脂以外の弾性材を排除する趣旨ではない。
【００１９】
また、取り付け具１０における右片部材１２と、左片部材１３にはそれぞれ誘導部１２ａと１３ａを有している。尚、誘導部１２ａ、１３ａは、面とりしたようなテーパー状でもよいが、円弧状を呈していても好ましい。また、右片部材１２と、左片部材１３は、たがいに接触していない場合でも好ましいが接触している場合も好ましい。
【００２０】
取り付け具１０は、矢印Ｘ方向においては任意の長さを有し、装飾部材２０の大きさによって任意の長さに加工することができる（図１参照）。取り付け具１０は、上記のとおり柔軟性を有し、ゴム、合成樹脂等で構成されているので、容易に、ハサミ、カッターなどで切断することができる。
【００２１】
取り付け具１０における固定部１４は平面状を呈し、この平面状の固定部１４に接着剤あるいは両面テープ等または溶着することで装飾部材２０を固定することができる。装飾部材２０は柔軟性を有する合成樹脂あるいはゴム等で構成され、その表面にはアニメーション作品のキャラクターが表示されている。尚、その表面上に表示されているキャラクターは、立体的に表示されている。もっとも平面的に表示されているものを排除する趣旨ではない。
【００２２】
このように取り付け具１０と装飾部材２０とはともに柔軟性を有する合成樹脂あるいはゴム等の弾性材で構成されているので、取り付け具１０における固定部１４に装飾部材２０を取り付けた装飾具３０を、イヤホン４０に装着した場合に使用者は違和感を生じさせる恐れが少ない。また、装飾部材２０の表面に表示されるものはアニメーション作品のキャラクターに限られず、例えばロゴ、マーク、記号でも好ましい。
【００２３】
イヤホン４０に装飾具３０を取り付ける場合に、イヤホンコード４２を、挟持部材１１における右片部材１２と左片部材１３におけるそれぞれの誘導部１２ａと１３ａに沿わせる。右片部材１１と左片部材１２は若干の隙間が生じているので、この状態でイヤホンコード４２に力を入れることにより空所１５に当該イヤホンコード４２を配置させることができる。空所１５の大きさがイヤホンコード４２の径よりも小であれば、取り付け具１０は弾性を有するので、その弾性力により、イヤホン４０はイヤホンコード４２に固定することができる。また装飾具３０を、イヤホン本体４１の根元４１ａに接するまで移動することができる。イヤホン４０の根元４１ａはコード４２に比べて太いので、挟持部材１１における右片部材１２と左片部材１３の弾性力により装飾具３０が固定されイヤホン４０に取り付けることができる。
【００２４】
装飾具３０が固定されたイヤホン４０から、装飾具３０を取り外すためには、挟持部材１１における右片部材１２と左片部材１３の隙間にイヤホンコード４２を沿わせる様に力を入れ、挟持部材１１における右片部材１２と左片部材１３の弾性力に抗する。そのようにすると、右片部材１２と左片部材１３が若干変形し、イヤホンコード４２が空所１５から離脱して、イヤホン４０から、装飾具３０を取り外すことができる。従って、当該装飾具１０を簡単にイヤホン４０に取り付けることができ、また取り外しも簡単にできるが、不意に力が加わっても簡単には外れない構成となっている。尚、装飾具３０は、イヤホン４０以外にも取り付けできることは云うまでもなく、取り付ける対象をイヤホンに限定する趣旨ではない。従ってイヤホン以外の鉛筆５０に取り付けることもできる。また、ワイングラス６０にも装飾具３０を取り付けることができる。
【図面の簡単な説明】
【００２５】
【図１】取り付け具の斜視図
【図２】装飾具の斜視図
【図３】図２のＡ−Ａ線断面図
【図４】ａはイヤホンに装飾具を取り付けた斜視図、ｂは鉛筆に装飾具を取り付けた斜視図、ｃはワイングラスに装飾具を取り付けた斜視図。
【符号の説明】
【００２６】
１０    取り付け具
１１    挟持部材
１２    右片部材
１２ａ  誘導部
１３    左片部材
１３ａ  誘導部
１４    固定部
２０    装飾部材
３０    装飾具
４０    イヤホン
５０    鉛筆
６０    ワイングラス
【図１】
0003181508.tif 000003
【図２】
0003181508.tif 000004
【図３】
0003181508.tif 000005
【図４】
0003181508.tif 000006
【手続補正書】
【提出日】平成24年11月22日(2012.11.22)
【手続補正１】
【補正対象書類名】実用新案登録請求の範囲
【補正対象項目名】全文
【補正方法】変更
【補正の内容】
【実用新案登録請求の範囲】
【請求項１】
装飾部材を取り付けるための固定部と挟持部材とからなる取り付け具であって、前記挟持部材は、装飾部材を取り付ける対象物を左右からはさみこむ右片部材と左片部材からなり、前記右片部材と左片部材は弾性材で構成することを特徴とする取り付け具
【請求項２】
挟持部材における右片部材あるいは左片部材のいずれか一方あるいは双方に、面とりしたようなテーパー状あるいは円弧状を呈する誘導部を設けることを特徴とする請求項１記載の取り付け具
【請求項３】
請求項１または請求項２記載の取り付け具における固定部に、装飾部材を固定することを特徴とする装飾具